(57)【要約】  後部壁（７）を用いて、機器（５）または本体をトップハットレール（４）に固定するための固定装置（１）が説明され、固定装置（１）は、第１の上側保持装置（１０）および第１の下側保持装置（２０）を含み、第１の上側保持装置（１０）は、固定状態でトップハットレール（４０）の上縁部を囲んで係合し、第１の下側保持装置（２０）は、固定状態で、トップハットレール（４０）の下縁部を囲んで係合し、第１の上側保持装置（１０）は弾性体の形態をとって、機器（５）または本体が、トップハットレール（４０）の長手方向に対して平行に延びる傾斜軸（Ｚ）を中心として、挿入傾斜方向（ｋ）に傾けられることで、トップハットレール（４０）に挿入できるようにする。【選択図】図１
2015521370.tif 000002
【特許請求の範囲】
【請求項１】
後部壁（７）を用いて、機器（５）または本体をトップハットレール（４）に固定するための固定装置（１）であって、第１の上側保持装置（１０）および第１の下側保持装置（２０）を含み、前記第１の上側保持装置（１０）は、固定状態で前記トップハットレール（４０）の上縁部を囲んで係合し、前記第１の下側保持装置（２０）は、前記固定状態で、前記トップハットレール（４０）の下縁部を囲んで係合する、固定装置（１）において、
前記第１の上側保持装置（１０）は弾性体の形態をとって、前記機器（５）または前記本体が、前記トップハットレール（４０）の長手方向に対して平行に延びる傾斜軸（Ｚ）を中心として、挿入傾斜方向（ｋ）に傾けられることで、前記トップハットレール（４０）に挿入できるようにすることを特徴とする、固定装置（１）。
【請求項２】
請求項１に記載の固定装置（１）において、前記第１の上側保持装置（１０）は、前記後部壁（７）に、特に、直接連結されることを特徴とする、固定装置（１）。
【請求項３】
請求項１または２に記載の固定装置（１）において、第２の上側保持装置（１５）および第２の下側保持装置（２５）をさらに含み、前記第２の上側保持装置（１５）は、前記第１の上側保持装置（１０）とほぼ同一であり、前記第２の下側保持装置（２５）は、前記第１の下側保持装置（２０）とほぼ同一であることを特徴とする固定装置（１）。
【請求項４】
請求項１乃至３の何れか１項、特に請求項３に記載の固定装置（１）において、前記第２の上側保持装置（１５）は、前記第１の上側保持装置（１０）にほぼ垂直に配置され、前記第２の下側保持装置（２５）は、前記第１の下側保持装置（２０）にほぼ垂直に配置されることを特徴とする固定装置（１）。
【請求項５】
請求項１乃至４の何れか１項に記載の固定装置（１）において、前記第１の上側保持装置（１０）および／または前記第２の上側保持装置（２０）は、ばね状スナップフックを含むことを特徴とする固定装置（１）。
【請求項６】
請求項１乃至５の何れか１項に記載の固定装置（１）において、前記第１の上側保持装置（１０）および／または前記第１の下側保持装置（２０）および／または前記第２の上側保持装置（１５）および／または前記第２の下側保持装置（２５）は、前記機器（５）または前記本体の前記後部壁（７）と一体であり、特に、プラスチック材料でできており、好ましくは、射出成形されることを特徴とする固定装置（１）。
【請求項７】
請求項１乃至６の何れか１項、特に請求項３乃至６の何れか１項に記載の固定装置（１）において、
前記第１の上側保持装置（１０）は、前記第２の上側保持装置（１５）と前記第２の下側保持装置（２５）との間の距離よりも短い幅（ｂ）を有し、かつ／または、
前記第２の上側保持装置（１５）は、前記第１の上側保持装置（１０）と前記第１の下側保持装置（２０）との間の距離よりも短い幅（ｂ）を有することを特徴とする固定装置（１）。
【請求項８】
請求項１乃至７の何れか１項、特に請求項３乃至７の何れか１項に記載の固定装置（１）において、前記後部壁（７）は、前記第１の上側保持装置（１０）の前縁部（１４）の架空の延長部に沿って、および前記第２の上側保持装置（１５）の前縁部（１９）の架空の延長部に沿ってインサートがないことを特徴とする固定装置（１）。
【請求項９】
請求項１乃至８の何れか１項に記載の固定装置（１）において、前記第１の下側保持装置（２０）および／または前記第２の下側保持装置（２５）は、特に、互いから等距離にある３つのフック状突起を含むことを特徴とする固定装置（１）。
【請求項１０】
請求項１乃至９の何れか１項、特に請求項３乃至９の何れか１項に記載の固定装置（１）において、前記第２の下側保持装置（２５）は、前記第１の下側保持装置（２０）の一部を含むことを特徴とする固定装置（１）。
【請求項１１】
機器（５）または本体、およびトップハットレール（４０）を含む装置であって、前記機器（５）または前記本体は、請求項１乃至１０の何れか１項に記載の固定装置（１）を用いて、前記トップハットレール（４０）に固定されることを特徴とする装置。
【発明の詳細な説明】
【技術分野】
【０００１】
本発明は、請求項１の特徴部よりも前の部分（ｐｒｅｃｈａｒａｃｔｅｒｉｓｉｎｇ  ｃｌａｕｓｅ）による固定装置と請求項１１による装置とに関する。
【背景技術】
【０００２】
取付レールは、電気工学において、構成要素を固定するために多数の異なる装置で使用されている。特定のタイプの取付レールとして、特に、切換キャビネットおよび切換ボックスで使用されるトップハットレールがある。そのようなトップハットレールに構成要素を固定するための多数の固定装置が公知である。
【発明の概要】
【０００３】
いくつかの機器または本体、すなわち構成要素をトップハットレールに固定するこれまで公知の固定装置の欠点は、固定装置が技術的に非常に複雑なことである。特に、トップハットレールに取り付ける作業自体が、実施するのに複雑であり、労力を要する。
【０００４】
したがって、本発明の目的は、後部壁を用いて機器または本体をトップハットレールに固定する固定装置を提供することであり、その固定装置は、技術的に単純な構造である。
【０００５】
この目的は、特許請求項１による固定装置によって達成される。
【０００６】
特に、目的は、後部壁を用いて機器または本体をトップハットレールに固定する固定装置によって達成され、その固定装置は、第１の上側および第１の下側保持装置を含み、第１の上側保持装置は、固定状態においてトップハットレールの上縁部を囲んで係合し、第１の下側保持装置は、固定状態においてトップハットレールの下縁部を囲んで係合し、第１の上側保持装置は弾性体の形態をとって、機器または本体が、トップハットレールの長手方向に対して平行に延びる傾斜軸を中心として、挿入傾斜方向に傾けられることで、トップハットレールに挿入できるようにする。この場合に、固定装置が、技術的に単純な構造であることは有益である。さらなる利点は、固定装置が、製造するのに費用がかからないことである。さらに、そのような固定装置により、後部壁を用いて機器または本体をトップハットレールに固定するのは簡単に実施でき、特に、片手だけを使用して行うことができる。さらに、そのような固定装置を用いて機器または本体をトップハットレールに固定するのに、トップハットレールのまわりに、特に、トップハットレールの上縁部の上、または下縁部の下に小空間だけがありさえすればよい。さらに、機器または本体を固定するのに、トップハットレール自体に対して小空間だけがありさえすればよい。機器または本体は、技術的に簡単な態様で、再度トップハットレールから取り外すことができ、特に、これが、片手のみを使用して行うことができるのも有益である。
【０００７】
第１の上側保持装置は、後部壁に、特に、直接連結することができる。それにより、後部壁とトップハットレールとの間の、特に、確実な連結を達成することができる。さらに、固定装置の技術的な構造がさらにより単純になる。
【０００８】
一実施形態では、固定装置は、第２の上側保持装置および第２の下側保持装置をさらに含み、第２の上側保持装置は、第１の上側保持装置とほぼ同一であり、第２の下側保持装置は、第１の下側保持装置とほぼ同一である。これの利点は、機器または本体が、第２の向きまたは位置でトップハットレールに固定できることである。したがって、機器／本体のいくつかの実現可能な向きまたは位置を利用可能である。このように、トップハットレールに対して、またはそのまわりで利用可能な空間を特に有効に使用することができる。
【０００９】
さらなる実施形態では、第２の上側保持装置は、第１の上側保持装置にほぼ垂直に配置され、第２の下側保持装置は、第１の下側保持装置にほぼ垂直に配置される。これは、互いに対して約９０°の角度をなす２つの配置または向き／位置で、機器または本体をトップハットレールに固定することができるという利点を有する。このように、トップハットレールに対して、またはトップハットレールのまわりで利用可能な空間をさらにより有効に使用することができる。さらに、それにより、相応して、機器または本体の向きまたは配置を一般的な条件に合わせることができる。
【００１０】
さらなる実施形態では、第１および／または第２の上側保持装置はばね状スナップフックを含む。これは、固定がさらに簡単に行われるという利点を有する。単に、第１および／または第２の下側保持装置が、トップハットレールの下縁部を囲んで係合するように、第１および／または第２の下側保持装置を配置し、機器または本体を挿入傾斜方向に傾け、単に、固定装置をトップハットレールに押し付けることで、ばね状のスナップフックは所定の位置に嵌まり、トップハットレールの上縁部を囲んで係合する。さらに、固定装置の技術的な構造がさらにより単純になる。
【００１１】
さらなる実施形態では、第１の上側保持装置および／または第１の下側保持装置および／または第２の上側保持装置および／または第２の下側保持装置は、機器または本体の後部壁と一体に形成され、特に、プラスチック材料でできており、好ましくは射出成形される。これの利点は、固定装置が、製造するのにさらにいっそう費用がかからないことである。さらなる利点は、固定装置、または固定装置の保持装置（１つまたは複数）が特に安定することである。さらに、固定装置の技術的な構造がさらにより単純になる。
【００１２】
第１の上側保持装置は、第２の上側保持装置と第２の下側保持装置との間の距離よりも短い幅を有することができ、かつ／または第２の上側保持装置は、第１の上側保持装置と第１の下側保持装置との間の距離よりも短い幅を有することができる。したがって、固定状態で使用されていない上側保持装置は、トップハットレールの内側寸法内または内部に収まり得ることが保証される。その結果、機器または本体は、空間を節約した態様で、トップハットレールに固定することができる。
【００１３】
さらなる実施形態では、後部壁は、第１の上側保持装置の前縁の架空の延長部に沿ってインサートがなく、第２の上側保持装置の前縁の架空の延長部に沿ってインサートがない。これは、固定状態で使用されていない他の保持装置のインサートも構造要素も、機器または本体の取り付けを邪魔しないことを保証するという利点を有する。機器または本体の取り付け時の妨害、または使用していない上側保持装置による取り付け妨害が、このようにして確実に回避される。
【００１４】
第１の下側保持装置および／または第２の下側保持装置は、特に、互いから等距離にある３つのフック状突起を含むことができる。それにより、特に、トップハットレールの下縁部を囲む確実で簡単な係合が得られる。
【００１５】
第２の下側保持装置は、第１の下側保持装置の一部を含むことができる。これは、固定装置が、製造するのに費用があまりかからないという利点を有する。さらに、固定装置の技術的な構造がさらにより単純になる。さらに、結果として、固定装置が占有する空間が縮小される。
【００１６】
目的はまた、特許請求項１１による装置によって達成される。特に、目的は、機器または本体、およびトップハットレールを含む装置によって達成され、機器または本体は、請求項１〜１０のいずれか１項に記載の固定装置を用いて、トップハットレールに固定される。これは、機器または本体が、技術的に単純な構造の固定装置を用いて、トップハットレールに固定されるという利点を有する。さらなる利点は、固定装置が製造するのに費用がかからず、したがって、装置全体が、製造するのに費用がかからないことである。さらに、後部壁を用いた機器または本体の固定は、この装置において、簡単な態様でトップハットレールから解除することができ、特に、固定は、片手のみを使用して解除することができる。さらに、この装置において、そのような固定装置を用いて、機器または本体をトップハットレールに固定するのに、トップハットレールに対して、またはトップハットレールのまわりに小空間だけがありさえすればよい。
【００１７】
固定される、または固定されている機器は、特に、ファンとすることができる。したがって、特に、ファンは、固定装置を用いてトップハットレールに固定することができる。ファンは、ベースプレートに固定されたノズルを含み、ベースプレートは、その後部壁に本発明による固定装置を有する。ファンは、回転軸のまわりにファンを回転させるための１次元回転要素を含むことができる。それにより、ノズルを通って出てくる空気の方向を技術的に簡単な態様で調整することができる。
【００１８】
ファンは、回転軸がトップハットレールの長手軸にほぼ平行か、またはほぼ垂直に延びるような位置に取り付けることができる。それにより、ファンのノズルを通った空気の排出方向に関する大きな自由度が保証される。ファンに回転可能な排出グリッドがさらに設けられた場合、それによって、空気の排出方向を任意の方向に設定することが可能である。本発明による固定装置を用いて、互いに対して９０°ずれた２つの位置にファンを取り付けることが可能であることから、空気の排出方向に関する高い、または最大限の自由度を得るために、１次元回転要素だけがありさえすればよい。単一平面内で回転可能な１次元回転要素は、特に、費用がかからず、かつ安定しているという、２次元回転要素に勝る利点を有する。同時に、互いに対して９０°ずれた２つの位置での実装性と、回転軸のまわりの旋回性または回転性との組み合わせによって、およびオプションで、排出グリッドの回転性によって、排出方向の調整性に関する高い、または最大限の自由度が得られる。１次元回転要素を有するファンは、振動力に対して特に安定する、すなわち、振動力が発生した場合に、特に、２次元回転要素または旋回要素の回転軸または旋回軸の第２の軸が、トップハットレールから、すなわち、ファンの取付点からより離れている場合に、２次元回転要素または旋回要素よりも安定する。
【００１９】
好ましい実施形態が、従属請求項から明らかになるであろう。本発明が、例示的な実施形態に関する図面を用いて、下記にさらに詳細に説明される。
【図面の簡単な説明】
【００２０】
【図１】図１は、本発明による固定装置の実施形態を備えた機器または本体の後部壁の平面図を示している。
【図２】図２は、図１の後部壁の斜視図を示している。
【図３】図３は、図１または図２の後部壁のさらなる斜視図を示している。
【図４】図４は、図１〜３の後部壁のさらなる斜視図を示している。
【図５】図５は、図１〜４の後部壁のさらなる斜視図を示している。
【図６】図６は、図１〜５の後部壁の側面図を示している。
【図７】図７は、トップハットレールを有する図１〜６の後部壁の側面図を示している。
【図８】図８は、別のトップハットレールを有する図１〜６の後部壁のさらなる側面図を示し、第１の上側保持装置および第１の下側保持装置が使用されている。
【発明を実施するための形態】
【００２１】
以下の説明では、同一部品および同じ効果を有する部品に対して、同じ参照数字が使用されている。
【００２２】
図１は、本発明による固定装置１の実施形態を備えた機器５または本体の後部壁７の平面図を示している。図２〜図５は、本発明による固定装置１の実施形態を備えた機器５の後部壁７の斜視図を示している。固定装置１は、第１の上側保持装置１０、第２の上側保持装置１５、第１の下側保持装置２０、および第２の下側保持装置２５を含む。第１の保持装置１０は、第１の下側保持装置２０に対向して配置されている。第２の保持装置１５は、第２の下側保持装置２５に対向して配置されている。
【００２３】
第１の上側保持装置１０は、弾性またはばね状であるスナップフックを含む。（可撓性要素としての）スナップフック１０は、本体５の後部壁７に固定されている。スナップフック１０が、機器５または本体の異なる部分に固定される、または連結されることも考えられる。第２の上側保持装置１５は、第１の上側保持装置１０とほぼ同一である。第２の下側保持装置２５は、第１の下側保持装置２０とほぼ同一である。
【００２４】
これは、第２の上側保持装置１５が、同様にばね状スナップフックを含むことを意味する。第１の上側保持装置１０および／または第２の上側保持装置１５が、２つ以上のスナップフック、例えば、２つまたは３つのスナップフックを含むことも考えられる。
【００２５】
これに関連して、後部壁７に弾性的に配置されるとは、スナップフック１０、１５が、若干力を加えることによって、横方向に、すなわち、後部壁７にほぼ平行に移動でき、次いで、スナップフック１０、１５自体のばね力によって再度元の位置に戻ることを意味する。
【００２６】
第１の上側保持装置１０は、固定状態でトップハットレール４０の側部または縁部に接触する／当たる固定装置１のすべての要素を含む。これは、トップハットレール４０の同じ縁部または側部に当たるすべての要素が、第１の上側保持装置１０の一部であることを意味する。第２の上側保持装置１５についても同様である。図に示す実施形態では、第１の上側保持装置１０または第２の上側保持装置１５は、１つの要素だけを含む。しかし、その要素は、例えば、２つ、３つ、４つ以上など、いくつかの部分で構成されることも考えられる。その場合に、使用中に、または固定状態でトップハットレール４０の同じ側部と接触するすべての要素は、第１の上側保持装置１０または第２の上側保持装置１５に該当する。これは、第１の上側保持装置１０または第２の上側保持装置１５を除いて、使用中に、または固定状態において、対応する側部で、すなわち、第１の上側保持装置１０または第２の上側保持装置１５と接触している側部でトップハットレール４０に接触する別の要素は全くないことを意味する。
【００２７】
相応して、第１の下側保持装置２０および第２の下側保持装置２５についても同様である。第１の下側保持装置２０または第２の下側保持装置２５を除いて、使用中に／固定状態において、該当する側部でトップハットレール４０に接触する固定装置１の別の要素は全くない。
【００２８】
第１の下側保持装置２０は、３つのフック状突起２２を含む。フック状突起２２は、後部壁７上で互いに等間隔に配置されて、（図１で上部から底部に延びる）直線に沿って配置されている。第１の下側保持装置２０が、１つの、２つの、または３つを超えるフック状突起を含むことも考えられる。第１の下側保持装置２０が、異なる形状の突起を含むことも考えられる。第１の下側保持装置２０のフック状突起２２および第２の下側保持装置２５のフック状突起２７は、機器５の後部壁７に動かないように、すなわち、非弾性的に連結されている。
【００２９】
フック状突起２２はそれぞれ、第１の上側保持装置１０に対向した上側突出または凸形縁部２３を有するので、トップハットレール４０の一部、すなわち、トップハットレール４０の下縁部は、突出縁部２３と後部壁７との間に受け入れることができる。固定状態では、フック状突起２２または突出／凸形縁部２３は、トップハットレール４０の下縁部を囲んで係合する。
【００３０】
フック状突起２２間で、機器５の後部壁７上にさらなるインサートまたは構造要素は何もない。第１の下側保持装置２０、すなわち、３つのフック状突起２２、または突起２２の長手方向は、第１の上側保持装置１０の長手方向にほぼ平行に配置されている。この長手方向は、いずれの場合も、対応する構造要素が最大範囲を有する方向に一致する。図１において、第１の上側保持装置１０の長手方向は底部から上部に延び、同様に、図１において、第１の下側保持装置の長手方向は底部から上部に延びている。図１において、第２の上側保持装置および第２の下側保持装置の長手方向は、いずれも左から右に延びている。
【００３１】
第１の上側保持装置のスナップフック１０は突起１１を有し、トップハットレール４０の上縁部は、突起１１と後部壁７との間に受け入れられる。このようにして、機器５の後部壁７または機器５自体が、トップハットレール４０に固定される。
【００３２】
固定装置１は、第２の下側保持装置２５を有する。第２の下側保持装置２５は、第１の下側保持装置２０とほぼ同一である。第２の下側保持装置２５も、３つのフック状突起２７で構成されている。第２の下側保持装置２５も、１つだけの、２つの、または３つを超えるフック状突起を含むことが考えられる。さらに、第２の下側保持装置２５が、異なる形状の突起を含むことが考えられる。第２の下側保持装置２５は、第２の上側保持装置１５にほぼ平行に形成されている。すなわち、第２の下側保持装置２５の長手方向は、第２の上側保持装置１５の長手方向に平行に延びている。
【００３３】
第２の下側保持装置２５は、第１の下側保持装置２０にほぼ垂直に配置されている。これは、第２の下側保持装置２５の長手方向、すなわち、第２の下側保持装置２５の最大範囲の方向が、第１の下側保持装置２０の長手方向にほぼ垂直に、すなわち、第１の下側保持装置２０の最大範囲の方向に垂直に延びることを意味する。第１の上側保持装置１０は、第２の上側保持装置１５にほぼ垂直に配置されている。
【００３４】
「上側保持装置」および「下側保持装置」という表現は、限定するものと解釈すべきではなくて、単に図に示す実施形態に一義的な名称を付与するに過ぎない。当然、上側保持装置１０、１５は、固定状態において、底部またはベース部に対して、トップハットレールの上縁部の下に配置されたトップハットレールの（下側）縁部を囲んで、トップハットレールに係合することもでき、下側保持装置２０、２５は、相応して、トップハットレールの上縁部を囲んで係合する。
【００３５】
第２の下側保持装置２５は、第１の下側保持装置２０の一部を含む。第１の下側保持装置２０のフック状突起２２の１つは、互いに対して垂直に延びる２つの凸形縁部２３、２８を有する。２つの縁部２３、２８の第１の縁部２３は、第１の下側保持装置２０の一部として機能し、他方の凸形縁部２８は、第２の下側保持装置２５の一部として機能する。したがって、図１において、２つの下側保持装置２０、２５に寄与する突起は、参照数字２２、２７で示されている。両方の下側保持装置２０、２５の一部であるフック状突起２２、２７は、図１において、後部壁７の上部左側に、すなわち、２つの上側保持装置１０、１５から最も離れた地点に配置されている。
【００３６】
２つの上側保持装置１０、１５および２つの下側保持装置２０、２５の配置および向きに関しては、第１の上側保持装置１０は、第１の下側保持装置２０に垂直に向けられ、または配置され、第２の上側保持装置１５は、第２の下側保持装置２５に垂直に向けられ、または配置されており、機器５を互いに対して垂直な２つの向きに配置することが可能である。これは、固定装置１を用いて、トップハットレール４０上で、第１の位置と第１の位置に対して９０°回転した第２の位置とに機器を配置できることを意味する。対応する回転軸は、後部壁７に垂直であり、後部壁７の中間点を貫通する（図１）。それにより、機器５の向きは、所与の要件、例えば、トップハットレール４０のまわりに、またはトップハットレール４０に対して存在する／利用可能な空間に適応することができる。
【００３７】
下側保持装置２０、２５のフック状突起２２、２７の凸形縁部２３、２８はそれぞれ、対応するスナップフック１０、１５、すなわち、対応する上側保持装置１０、１５の突起１１、１６に平行に延びている。
【００３８】
第１の上側保持装置１０および／または第１の下側保持装置２０および／または第２の上側保持装置１５および／または第２の下側保持装置２５は、機器５の後部壁７と一体に形成されるのが好ましい。好ましくは、保持装置１０、１５、２０、２５は、プラスチック材料でできており、プラスチック材料は、特に射出成形される。しかし、他の材料、例えば、金属または金属合金なども考えられる。さらに、保持装置１０、１５、２０、２５、特に２つの上側保持装置１０、１５が後部壁にねじ留め、接着などされることも考えられる。
【００３９】
固定状態において、第１の上側保持装置１０の第１の接触面１２は、トップハットレール４０と直接接触する。この第１の接触面１２は、後部壁７に対して垂直に延びている。後部壁７に沿って延びる第１の接触面１２の架空の延長部に沿って、第２の上側保持装置１５のさらなる構造要素またはインサートは全くない。したがって、トップハットレール４０に固定するために、第１の上側保持装置１０が第１の下側保持装置２０とともに使用され、トップハットレール４０への取付を妨害する、またはできなくする、第２の下側保持装置２５または第２の上側保持装置１５の構造要素または要素は全くないことが保証される。逆も同様に当てはまる。すなわち、取り付けられた状態で、トップハットレール４０と直接接触する、第２の上側保持装置１５の第２の接触面１７の、ほぼ後部壁７に沿って延びる架空の延長部に沿って配置された第１の保持装置１０の構造要素またはインサートは全くない。それにより、第２の上側保持装置１５および第２の下側保持装置２５が、トップハットレール４０に固定するために使用された場合に、トップハットレール４０の邪魔になる、または取り付けの邪魔をする、もしくは取り付けをできないようにすることさえある、第１の上側保持装置１０または第１の下側保持装置２０の構造要素または要素は全くないことが保証される。
【００４０】
概括的には、スナップフック１０、１５はそれぞれ、前縁１４、１９を有する。前縁１０、１５はいずれも、対応する下側保持装置２０、２５に対向する凸形縁部である。後部壁７は、（後部壁７に平行な）第１の上側保持装置１０の前縁１４の架空の延長部に沿って、および（後部壁７に平行な）第２の上側保持装置１５の前縁１９の架空の延長部に沿ってインサートがない。前縁１４、１９のその架空の延長部のまわりの後部壁７の領域もインサートがない。それによって、第２の上側保持装置１５および第２の下側保持装置２５が、トップハットレール４０に固定するために使用される場合に、トップハットレールの邪魔になる、または取り付けの邪魔をする、もしくは取り付けをできないようにすることさえある、第１の上側保持装置１０または第１の下側保持装置２０の構造要素または要素は全くないことが保証される。
【００４１】
それにより、後部壁７または機器５は、互いに対して約９０°ずれた２つの位置または配置でトップハットレール４０に固定できることが保証される。その結果、配置の高度な可変性が得られる。約９０°の回転は、後部壁７に対して垂直に延び、後部壁７の中央を貫通する軸のまわりに行われる（図１）。機器５は、一方で、トップハットレール４０（の長手方向）が図１で左から右に延びるような態様でトップハットレール４０に固定または配置することができる。その位置／配置では、第２の上側保持装置１５および第２の下側保持装置２５が固定用に使用される。さらに、機器５はまた、トップハットレール４０（の長手方向）が図１で上部から底部に延びるような態様でトップハットレール４０に固定または配置することができる。その位置／配置では、第１の上側保持装置１０および第１の下側保持装置２０が固定用に使用される。
【００４２】
ばね状スナップフック１０、１５はそれぞれ、突起１１、１６に直接隣接し、後部壁７に対して開放され、後部壁７に向かって湾曲した面１３、１８を含む。湾曲面１３、１８の、突出突起１１、１６とは反対の側で、ばね状スナップフック１０、１５は、後部壁７に連結されている。その結果、力がスナップフック１０、１５の湾曲面１３、１８に加えられた場合に、スナップフック１０、１５は、側方に、すなわち、下側保持装置２０、２５から離れる方向に移動する。力がスナップフック１０、１５に作用しなくなると同時に、スナップフック１０、１５は、図１〜８に示す元の位置に再度戻る。
【００４３】
第２の上側保持装置１５は、第１の上側保持装置１０と第１の下側保持装置２０との間の（最短）距離よりも短い幅ｂを有する。第１の上側保持装置１０に関しても同様である。これは、第１の上側保持装置１０が、第２の上側保持装置１５と第２の下側保持装置２５との間の距離よりも短い長さｂを有することを意味する。それにより、第１の上側保持装置１０および第１の下側保持装置２０が、機器５をトップハットレール４０に固定するために使用される場合に、第２の上側保持装置１５がトップハットレール４０の内側寸法内に、または内部に収まることができるのが保証される。逆も同様である、すなわち、第２の上側保持装置１５および第２の下側保持装置２５が、機器５をトップハットレール４０に固定するために使用される場合に、第１の上側保持装置１０は、トップハットレール４０の内側寸法内に／内部に収まる。
【００４４】
結果的に、第２の上側保持装置１５全体は、トップハットレール４０の内側寸法内または内部に収まる、すなわち、第１の上側保持装置１０および第１の下側保持装置２０が、機器５をトップハットレール４０に固定するために使用される場合に、第２の上側保持装置１５のどの要素も、トップハットレール４０の内部の外に配置されない。９０°回転した固定配置でトップハットレール４０の第１の側部に接触する固定装置１のすべての要素（すなわち、第２の上側保持装置１５全体）は、第２の固定配置でトップハットレール４０の内部に配置される。
【００４５】
相応して逆も同様である、すなわち、第２の上側保持装置１５および第２の下側保持装置２５が、機器５をトップハットレール４０に固定するために使用される場合に、第１の保持装置１０、２０および第２の保持装置１５、２０の「役割」は、相応して逆転する。
【００４６】
固定装置１は、図１の紙面に垂直で、図１の上部左側に示すフック状突起２７の中心を通り、図１の底部右側に示す突起（参照数字はない）の中心を通る対称面Ｓに関して鏡面対称性を有する。その結果、図１において、鏡面または対称面Ｓは、紙面に垂直で、上部左側から底部右側に、第１の上側保持装置１０の長手方向に対して４５°の角度をなし、同様に、第２の上側保持装置１５の長手方向に対して４５°の角度をなして延びている。固定装置１のすべての要素は、対称面または鏡面Ｓに対してほぼ鏡面対称である。
【００４７】
図６は、後部壁７および図１〜５の固定装置１の実施形態の側面図を示している。図６において、傾斜軸Ｚが示されている。傾斜軸Ｚは、後部壁７に接して、または後部壁７のところで、第２の保持装置１５に対向したフック状突起２７の側に配置されている。傾斜軸Ｚは後部壁７に沿って延びている。機器を固定するために、固定装置１は、トップハットレール４０の下縁部が、フック状突起２７の凸形縁部２８の下に受け入れられるように、トップハットレール４０に配置される。次いで、機器５または機器５を含めた後部壁７は、傾斜方向ｋの方向で傾斜軸Ｚのまわりに回転され、これは、図６において反時計方向である。傾斜方向ｋに傾斜または回転させた結果として、ばね状スナップフック１５またはスナップフック１５の湾曲部／湾曲面１８は、トップハットレール４０と直接接触するようになる。スナップフック１５の面１８の湾曲形状により、スナップフック１５は、フック状突起２７から離れる方向（図６ではほぼ下方向）に押される。本体５または後部壁７がさらに傾けられると、次いで、トップハットレール４０は、第２の接触面１７と直接接触することができる。トップハットレール４０が、スナップフック１５の突起１６またはスナップフック１５の前縁１９を通過したと同時に、スナップフック１５は、各図に示す元の位置に戻る。次いで、スナップフック１５は、トップハットレール４０の上縁部を囲んで係合する。その結果、本体５の後部壁７は、トップハットレール４０に固定される。固定状態が図７に示されている。
【００４８】
トップハットレール４０は、再度ばね状スナップフック１５をフック状突起２７から離れる方向に押すことで解放され、その結果、機器５の後部壁７、したがって機器５自体は、傾斜軸Ｚを中心として傾斜方向ｋとは反対の方向に傾けることで、トップハットレール４０から再度解放される。
【００４９】
図７では、機器５の後部壁７が、内側寸法ｉを有するトップハットレール４０に固定された状態で示されている。第１の上側保持装置１０が、トップハットレール４０の内側寸法ｉ内に、またはトップハットレール４０の内部に収まっているのが図７から明瞭に分かる。第２の上側保持装置１５の第２の接触面１７またはその延長部が、トップハットレール４０との関係において、図７では使用されていない第１の下側保持装置２０のフック状突起２２に対して突き出ていることも、図７から明瞭に分かる。概括的には、後部壁７は、（後部壁７に沿った）第２の上側保持装置／スナップフック１５の前縁１９の架空の延長部に沿ってインサートがない。図７に示す第１の下側保持装置２０のフック状突起２２は、前縁１９または前縁１９の架空の延長部に対して後退している、すなわち、図７に示すフック状突起２２は、第２の上側保持装置１５または第２の上側保持装置１５の前縁１９よりも、図７に示す第２の下側保持装置２５のフック状突起２７から長い距離にある。その結果、第１の下側保持装置２０および第１の上側保持装置１０の要素は、第２の上側保持装置１５および第２の下側保持装置２５を用いた取り付け、または固定を妨げない。
【００５０】
図８は、機器５の後部壁７および固定装置１のさらなる側面図を示しており、第１の上側保持装置１０および第１の下側保持装置２０が、固定用に使用されている。図８において、傾斜軸Ｚは、第１の下側保持装置２０の、上側保持装置１０に対向した側が、後部壁７に接触している地点にある。傾斜軸は後部壁７に沿って延びている。傾斜方向ｋは、図８において反時計方向に延びている。図８のトップハットレール４０は、図７のトップハットレール４０よりも高さが高い。図８の傾斜軸Ｚは、図６および図７の傾斜軸Ｚに垂直か、またはほぼ垂直に延びている。図７および図８に示す２つの配置は、互いに対して９０°回転している。
【００５１】
第１の上側保持装置１０の第１の接触面１２は、第２の下側保持装置２５のフック状突起２７よりも、第１の下側保持装置２０に接近して配置されているのも図８から明瞭に分かる。フック状突起２７は、第１の上側保持装置１０に対して後退している、すなわち、第１の上側保持装置１０または第１の上側保持装置１０の前縁１４よりも、第１の下側保持装置２０から長い距離にあるのも図８から分かる。その結果、これら、すなわち、第２の下側保持装置２５の構成要素またはインサートは、機器５の後部壁７をトップハットレール４０に固定するのに、第１の上側保持装置１０の使用を妨げない。
【００５２】
固定される機器は、特に、ファンとすることができる。ファンはノズル５２を有する。ノズル５２は、ファンノズル５２から出る空気流の方向を決めることができる可動性ノズルである。ノズル５２は、固定状態でトップハットレール４０の長手軸（図示せず）に平行に延びる軸のまわりに回転可能である。ノズル５２は、ベースプレート５０に固定されている。ノズル５２とベースプレート５０との間の連結は、それ自体公知の１次元回転要素または回転連結器（図示せず）によって行われる。１次元回転要素は、単一の回転面内で回転可能である。
【００５３】
ノズル５２の凸形後部壁は、ベースプレート５０の対応する凹形前部壁に受け入れられている。ベースプレート５０の側壁は、空気スロット５４を有する。さらなる空気スロットが、ベースプレート５０の前部壁およびノズル５２の後部壁に設けられる。それ自体公知の構成要素をノズル５２およびベースプレート５０に使用することができ、ベースプレート５０の後部壁７は、実際の固定装置１を有する。
【００５４】
ファンは、ファン５２の、後部壁から遠い側に配置された排出グリッド５６を含む。空気は排出グリッド５６を流れる。排出グリッド５６は、ファンの長手軸にほぼ平行に延びる軸のまわりに回転することができる。それにより、空気の流出方向を相応して変える、または調整することができる。
【符号の説明】
【００５５】
１  固定装置
５  機器
７  後部壁
１０  第１の上側保持装置（スナップフック）
１１  スナップフックの突起（第１の上側保持装置）
１２  第１の接触面
１３  湾曲面（第１の上側保持装置）
１４  第１の上側保持装置の前縁
１５  第２の上側保持装置（スナップフック）
１６  スナップフックの突起（第２の上側保持装置）
１７  第２の接触面
１８  湾曲面（第２の上側保持装置）
１９  第２の上側保持装置の前縁
２０  第１の下側保持装置
２２  フック状突起（第１の下側保持装置）
２３  フック状突起の凸形縁部（第１の下側保持装置）
２５  第２の下側保持装置
２７  フック状突起（第２の下側保持装置）
２８  フック状突起の凸形縁部（第２の下側保持装置）
４０  トップハットレール
５０  ベースプレート
５２  ノズル
５４  空気スロット
５６  排出グリッド
ｉ  内側寸法トップハットレール
ｂ  スナップフックの幅
Ｚ  傾斜軸
ｋ  傾斜方向
Ｓ  鏡面／対称面
【図１】
2015521370.tif 000003
【図２】
2015521370.tif 000004
【図３】
2015521370.tif 000005
【図４】
2015521370.tif 000006
【図５】
2015521370.tif 000007
【図６】
2015521370.tif 000008
【図７】
2015521370.tif 000009
【図８】
2015521370.tif 000010
【国際調査報告】
2015521370.tif 000011
2015521370.tif 000012
2015521370.tif 000013
2015521370.tif 000014